(57)【要約】【課題】上流側水路と下流側水路の間に設けられ、被処理水中を浮遊する異物の通過を許容するように上下層に仕切る貯留槽の内部に、水面に対して傾斜する傾斜面を上面側に有する傾斜板が設けられている貯留槽の仕切構造の、貯留槽の内部に導入される被処理水に混入する浮遊物の沈殿をより効率的に行うことができる貯留槽の仕切構造の提供する。【解決手段】貯留槽の仕切構造１の傾斜板５２には、複数の開口４８を有して、下側の下部開口と上側の上部開口を有している。また、傾斜板５２は略Ｖ字状に配置されており、前記開口４８には阻流体が設けられている。【選択図】　図１
2004089951.tif 000002
【特許請求の範囲】
【請求項１】
上流側水路と下流側水路の間に設けられた貯留槽を、被処理水中を浮遊する異物の通過を許容するように上下層に仕切る貯留槽の仕切構造であって、前記貯留槽の深さ方向中途部に設けられた傾斜板を備え、該傾斜板は水面に対して傾斜する傾斜面を上面側に有し、傾斜板の下部側には上層と下層を連通させる下部開口が設けられ、傾斜板の上部側には上層と下層を連通させる上部開口が設けられていることを特徴とする貯留槽の仕切構造。
【請求項２】
１対の傾斜板の傾斜面が反対方向に傾斜してＶ字状に配置され、前記下部開口は、前記Ｖ字の谷部に位置していること特徴とする請求項１に記載の貯留槽の仕切構造。
【請求項３】
傾斜板が深さ方向に複数並設されていることを特徴とする請求項１又は２に記載の貯留槽の仕切構造。
【請求項４】
深さ方向に並設された複数の傾斜板のうちの１つの上部開口又は下部開口と、該傾斜板の下側に隣接配置された傾斜板の上部開口又は下部開口とが上下に対向しており、この対向する開口の間に阻流体が設けられていることを特徴とする請求項３に記載の貯留槽の仕切構造。
【請求項５】
所定の深さにおいて傾斜板が水平方向に複数設けられていることを特徴とする請求項３又は４に記載の貯留槽の仕切構造。
【請求項６】
所定の深さの複数の傾斜板は、同一方向に傾斜して配置されていることを特徴とする請求項５に記載の貯留槽の仕切構造。
【請求項７】
深さ方向に並設される複数の傾斜板は、上下に隣り合うもの同士が反対方向に互いに傾斜していることを特徴とする請求項３〜６のいずれかに記載の貯留槽の仕切構造。
【発明の詳細な説明】
【０００１】
【発明の属する技術分野】
本発明は、水処理施設に付随して設けられる貯留槽に関するものである。
【０００２】
【従来の技術】
下水処理施設などの水処理施設は、水路を介して集められた下水などの被処理水の浄化処理を行う施設である。これらの水処理施設の中には、その上流側に貯留槽を付設したものがある。
この貯留槽は、深さ１０ｍを越える大容量の槽であり、上流側水路から貯留槽に流入した被処理水が貯留されつつ、下流側水路から水処理施設へ向けて流出する構造を有している。
【０００３】
この貯留槽は、被処理水に混入する落ち葉や砂などの浮遊物を沈殿させて分離する沈殿槽としての機能を有する。また、集中豪雨などに伴って一時に大量の被処理水が水処理施設へ流れ込むことを防止するための緩衝槽としての役割も担っている。更に、貯留された雨水は防災などに用いることもでき、非常用水の貯留槽としての機能をも有するものである。
このように、多目的に機能する貯留槽は、近年、水処理施設に付設されることが多い。
【０００４】
【発明が解決しようとする課題】
このような貯留槽では、被処理水に混入する浮遊物を沈殿させる能力をさらに大きくすることが期待されている。則ち、一旦沈殿した落ち葉や砂などが、上流側流入口から流入する被処理水の水流によって再び浮遊し、下流側水路から水処理施設側へ流出するような不具合を防止する必要がある。
そして、図２６に示すような、深さ方向の途中に仕切構造１０４を設けた貯留槽１００が考えられている。また、図２７に示されるような、上流側水路からの入り口である上流側流入口６１が、仕切構造１０４の下側に設けられている貯留槽１００ａも考えられている。
【０００５】
貯留槽１００の仕切構造１０４は、複数の傾斜板１０３を有し、傾斜板１０３は水平に対して傾斜している。そして、傾斜板１０３の傾斜方向は、上流側流入口６１から下流側排出口６２に向かう方向、すなわち、被処理水の主流方向に対して平行である。さらに、１対の傾斜板１０３が反対方向に傾斜してＶ字状となり、前記Ｖ字の谷部では、傾斜板１０３同士が接触しておらず、開口１０６となっている。
【０００６】
貯留槽１００では、被処理水が上流側流入口６１から流入すると、貯留槽１００内を通過して、下流側排出口６２から排出される（図２６中の太線矢印）。
また、被処理水中の浮遊物は、貯留槽１００内で流れる間に沈殿し、傾斜板１０３によって開口１０６に集められ、開口１０６から下層部側へ移動し（図２６中の細線矢印）、一旦沈殿した浮遊物が上層部側へ移動することを防ぐ。また、貯留槽１００の底には沈殿した異物などを外部に排出する排出路６４が形成されている。
貯留槽１００ａは、貯留槽１００と比較して、上流側流入口６１の位置のみが異なる構造であり、貯留槽１００と同様に浮遊物を沈殿させるものである。
【０００７】
そして、貯留槽内での浮遊物の沈殿をさらに効率的に行い、より下流側排出口６２へ流出する被処理水の浮遊物の量を減少させることが望まれてきている。
【０００８】
そこで、本発明は、被処理水に混入する浮遊物をより沈殿させ、被処理水の浮遊物の量を減少させることが可能な貯留槽の仕切構造を提供することを課題とする。
【０００９】
【課題を解決するための手段】
そして、上記した目的を達成するための請求項１は、上流側水路と下流側水路の間に設けられた貯留槽を、被処理水中を浮遊する異物の通過を許容するように上下層に仕切る貯留槽の仕切構造であって、前記貯留槽の深さ方向中途部に設けられた傾斜板を備え、該傾斜板は水面に対して傾斜する傾斜面を上面側に有し、傾斜板の下部側には上層と下層を連通させる下部開口が設けられ、傾斜板の上部側には上層と下層を連通させる上部開口が設けられていることを特徴とする貯留槽の仕切構造である。
【００１０】
請求項１に記載の発明によれば、貯留槽の深さ方向中途部に設けられた傾斜板には、傾斜板の下部側には上層と下層を連通させる下部開口と、傾斜板の上部側には上層と下層を連通させる上部開口が設けられているので、被処理水が下部開口から下層に至り、再び、上部開口から上層に戻る際に被処理水中の浮遊物が沈殿し、より効率的に浮遊物の分離を行うことができる。
【００１１】
請求項２に記載の発明は、１対の傾斜板の傾斜面が反対方向に傾斜してＶ字状に配置され、前記下部開口は、前記Ｖ字の谷部に位置していること特徴とする請求項１に記載の貯留槽の仕切構造である。
【００１２】
請求項２に記載の発明によれば、１対の傾斜板の傾斜面が反対方向に傾斜してＶ字状に配置され、前記下部開口は、前記Ｖ字の谷部に位置しているので、浮遊物が傾斜板上に滞留することがない。また、一対の傾斜板の谷部の部分に隙間を設けることにより、前記隙間を下部開口とすることができるので、施工が容易である。
【００１３】
請求項３に記載の発明は、傾斜板が深さ方向に複数並設されていることを特徴とする請求項１又は２に記載の貯留槽の仕切構造である。
【００１４】
請求項３に記載の発明によれば、複数の傾斜板が深さ方向に並設されている部分を有するので、より効率的に沈殿物の分離をすることができる。
【００１５】
請求項４に記載の発明は、深さ方向に並設された複数の傾斜板のうちの１つの上部開口又は下部開口と、該傾斜板の下側に隣接配置された傾斜板の上部開口又は下部開口とが上下に対向しており、この対向する開口の間に阻流体が設けられていることを特徴とする請求項３に記載の貯留槽の仕切構造である。
【００１６】
請求項４に記載の発明によれば、深さ方向に並設された複数の傾斜板のうちの１つの上部開口又は下部開口と、該傾斜板の下側に隣接配置された傾斜板の上部開口又は下部開口とが上下に対向しており、この対向する開口の間に阻流体が設けられているので、開口部分の被処理水の流れが流れにくくなり、浮遊物が沈殿しやすくなる。
【００１７】
請求項５に記載の発明は、所定の深さにおいて傾斜板が水平方向に複数設けられていることを特徴とする請求項３又は４に記載の貯留槽の仕切構造である。
【００１８】
請求項５に記載の発明によれば、所定の深さにおいて傾斜板が水平方向に複数設けられているので、幅が長い貯留槽でも効率的に浮遊物の沈殿を行うことができる。
【００１９】
請求項６に記載の発明は、所定の深さの複数の傾斜板は、同一方向に傾斜して配置されていることを特徴とする請求項５に記載の貯留槽の仕切構造である。
【００２０】
請求項６に記載の発明によれば、所定の深さの複数の傾斜板は、同一方向に傾斜して配置されているので、多くの傾斜板を設置することができ、効率的に浮遊物の沈殿を行うことができる。
【００２１】
請求項７に記載の発明は、深さ方向に並設される複数の傾斜板は、上下に隣り合うもの同士が反対方向に互いに傾斜していることを特徴とする請求項３〜６のいずれかに記載の貯留槽の仕切構造である。
【００２２】
請求項７に記載の発明によれば、深さ方向に並設される複数の傾斜板は、上下に隣り合うもの同士が反対方向に互いに傾斜しているので、傾斜板同士の深さ方向の隙間はジグザグ状となり、効率的に浮遊物の沈殿を行うことができる。
【００２３】
【発明の実施の形態】
以下さらに本発明の具体的実施例について説明する。図１は、本発明の第１の実施形態における仕切構造を拡大した斜視図である。図２は本発明の第１の実施形態における仕切構造を上側から見た正面図である。図３は図２におけるＡ−Ａ面での断面図である。図４は、本発明の第１の実施形態における仕切構造の横断面図である。図５は本発明の第１の実施形態における支持部材の一部を示した斜視図である。図６は本発明の第２の実施形態における仕切構造の上側から見た正面図である。図７は図６におけるＡ−Ａ面での断面図である。図８は、本発明の第２の実施形態における仕切構造の横断面図である。図９は本発明の第３の実施形態における仕切構造の上側から見た正面図である。図１０は図９におけるＡ−Ａ面での断面図である。図１１は本発明の第３の実施形態における仕切構造の横断面図である。図１２〜１４は、本発明の第１の実施形態における仕切構造の変形例の横断面図である。図１５は、本発明の第４の実施形態における仕切構造の横断面図である。図１６（ａ）は本発明の第４の実施形態における仕切構造の上側から見た正面図である。図１６（ｂ）は、図１６（ａ）におけるＡ−Ａ面での断面図である。図１７は、本発明の第４の実施形態における仕切構造の斜視図である。図１８は、本発明の第５の実施形態における仕切構造の横断面図である。図１９は、本発明の第６の実施形態における仕切構造の横断面図である。図２０は、本発明の第７の実施形態における仕切構造の横断面図である。図２１は、本発明の第８の実施形態における仕切構造の横断面図である。図２２は、本発明の第９の実施形態における仕切構造の横断面図である。図２３は、本発明の第１０の実施形態における仕切構造の横断面図である。図２４は、本発明の第１１の実施形態における仕切構造の横断面図である。図２５は、本発明の阻流体の断面図である。
【００２４】
本発明の第１の実施形態における仕切構造１を有する貯留槽１１は、図２６に示された貯留槽１００と比べ、仕切構造１０４以外は同様である。
すなわち、貯留槽１１には、上流側水路につながって下水などの被処理水が流入する上流側流入口６１と、下流側水路につながって被処理水を水処理施設に供給する下流側排出口６２との間に設けられており、大量の水を貯めることができるように所定深さに形成されている。さらに、貯留槽１１の底には、沈殿した異物などを外部に排出する排出路６４が形成されている。そして、仕切構造１は貯留槽１１を上層１８と下層１９に仕切っている。また、仕切構造１は、上流側流入口６１と下流側排出口６２よりも下方に設けられている。本願における実施形態においては、すべて、上流側流入口６１の位置が仕切構造１よりも上方のものを採用しているが、図２７に示した貯留槽１００ａのように、上流側流入口６１の位置が仕切構造１よりも下方であってもよい。
なお、本願では、上流側流入口６１から下流側排出口６２に向かう方向を主流方向、主流方向と垂直であって水平な方向を左右方向、主流方向及び左右方向に垂直な方向を深さ方向として説明する。
【００２５】
本発明の第１の実施形態における仕切構造１は、図１〜４に示されている。
図１は、本発明の第１の実施形態に係る貯留槽の仕切構造１を、部分的に拡大して図示したものである。
本実施形態の仕切構造１は、貯留槽１１の深さ方向中途部に設けられ、貯留槽１１を上層１８と下層１９とに仕切っている。そして仕切構造１には傾斜板５２と、開口３５ａが設けられた歩行板部材３５を有している。傾斜板５２及び歩行板部材３５は、支持部材２２によって固定されている。また、支持部材２２は、貯留槽１１内に設けられている複数の梁体２０の上側に設置されている。
【００２６】
傾斜板５２の上面側の傾斜面４９は、水面に対して傾斜し、主流方向に平行である。また、左右方向には少なくとも２つ（１対）の傾斜板５２が並設され、この１対の傾斜板５２が反対方向に傾斜してＶ字状となり、Ｖ字の谷部では、傾斜板５２同士が接触せず、対の傾斜板５２の下側側縁１４同士は左右に離れて隙間を有している。
また、仕切構造１の傾斜板５２は、図２に示されるように、開口４８及び上側切り欠き部５０が設けられている板部材５２ｃと、開口４８及び上側切り欠き部５０が設けられていない板部材５２ａにより構成される。開口４８の位置は、傾斜面４９の中央よりも上側であり、好ましくは傾斜板５２の上から１／３の位置よりも上側に設けられている。また、開口４８と、後述する下部開口たる歩行板部材３５の開口３５ａの距離は、傾斜板５２の傾斜方向の長さに対して１／２以上である。
【００２７】
また、図４に示されるように、板部材５２ａ，５２ｃの裏側には裏枠材５３が設けられている。裏枠材５３は格子状に設けられ、板部材５２ｃ，５２ａの変形を防止し、強度を高めている。
そして、板部材５２ｃと板部材５２ａは主流方向に交互となるように設置して１つの傾斜面４９を形成する。すなわち、傾斜面４９に互い違いに設けられている。また、左右方向に互いに対向する板部材が、板部材５２ｃと板部材５２ａとの組み合わせとなるように設置されている。
【００２８】
開口４８の形状は略正方形状であり、その一辺は板部材５２ｃの幅よりやや短い。また、上側切り欠き部５０は板部材５２ｃの上側の端部に位置し、主流方向に長いスリット状であり、スリットの長さは板部材５２ｃの幅よりやや短い。そして、開口４８は傾斜板５２ｃが傾斜板５２ａと交互に設けられるので、主流方向に所定の間隔で配置される。また、上側切り欠き部５０は傾斜板５２ｃの上端に位置し、開口４８の上側に設けられる。
【００２９】
歩行板部材３５は、Ｖ字状となっている傾斜板５２のＶ字の谷部に位置している。そして、歩行板部材３５は板状であって、板面を貫通させるスリット状の開口３５ａを有している。歩行板部材３５は、板面を水平方向として支持部材２２に固定されている。
【００３０】
仕切構造１は上記のように構成され、上下層を貫通する傾斜板５２の開口４８及び上側切り欠き部５０と、歩行板部材３５の開口３５ａを有している。そして、傾斜板５２の開口４８及び上側切り欠き部５０は、歩行板部材３５の開口３５ａの上側に位置して上部開口となり、また、歩行板部材３５の開口３５ａは下部開口となる。
【００３１】
そして、貯留槽１１が使用されると従来技術と同様に、仕切構造１により、被処理水の浮遊物が沈殿する。
すなわち、上流側流入口６１から流入して貯留槽１１の上層１８に流れ込む。そして、被処理水は、上層１８を流れて下流側排出口６２から排出される。このとき、被処理水中の浮遊物は沈殿し、傾斜板５２によって、傾斜板５２のＶ字の谷部側に集められて歩行板部材３５の開口３５ａから下層側にさらに沈殿する。また、一旦沈殿した浮遊物は、傾斜板５２により、上層１８の被処理水の流れなどによって発生する渦流による巻き上がり等が発生せず、浮遊物が開口３５ａなどから再び上層１８に移動しない。
【００３２】
さらに、仕切構造１においては、傾斜板５２の開口４８及び上側切り欠き部５０により、被処理水の浮遊物をより効率的に分離することができる。すなわち、傾斜板５２の裏側を下部開口たる歩行板部材３５の開口３５ａから、上部開口たる傾斜板５２の開口４８及び上側切り欠き部５０に向かって上昇する被処理水の流れが発生し、その間に浮遊物が沈殿して効果的に浮遊物を分離する。なお、図４に、被処理水と浮遊物の想定される動きを示しており、実線の矢印が処理水の流れ、破線の矢印が浮遊物の沈殿の様子を示す。
【００３３】
さらに、第１の実施形態における仕切構造１を詳しく説明する。
仕切構造１に設けられている複数の梁体２０は、長尺状であり、その長尺方向は水平であって左右方向に向いている。そして、各梁体２０は貯留槽１１の壁面２１と接続し、また各梁体２０の深さ方向の位置は同じである。各梁体２０の中央付近の上側に、支持部材２２が設置され、支持部材２２は梁体２０を介して貯留槽１１に固定されている。支持部材２２は長尺状であり、その長尺の向きは主流方向に平行であり、貯留槽１１の主流方向の一端側から他端側までの全長にわたって設けられている。
【００３４】
また、仕切構造１の支持部材２２は、図５に示されるように、本体部２３と、複数のリブプレート部２４を有している。
本体部２３は断面がＣ型である２本の長尺部材２３ａを複数の結合部２７で結合したものある。そして、本体部２３を形成する２本の長尺部材２３ａは、平行に位置し、前記Ｃ型の開口部側を外向きの状態で固定されて、左右対称の状態で結合している。なお、結合部２７は、後述するリブプレート部２４とほぼ同じ位置に設けられ、図３に示されるように所定の間隔で設けられている。
リブプレート部２４は板状の部材であり、図３に示されるように、主流方向、すなわち支持部材２２の長手方向に所定の間隔ごとに複数設けられている。また、リブプレート部２４は、図５に示されるように、本体部２３の左右方向の外側に設けられ、傾斜板保持部２８を有している。傾斜板保持部２８は、断面Ｌ型であってＬ型の開口部が上向きの状態で設けられ、傾斜板５２の下側側縁１４と固定し、傾斜板５２は支持部材２２により保持し固定される。
【００３５】
支持部材２２は上記のように構成されているので、複雑な構造を必要とせず容易に施工することができ、また、傾斜板５２を確実に固定することができる。なお、本実施形態では、支持部材２２はステンレス鋼を用いているが、これに限らず他の金属であっても良く、また樹脂などの非金属であっても良い。
【００３６】
傾斜板５２の素材は特に限定されず、木材、塩化ビニル樹脂やアクリル樹脂等の硬質プラスチック、繊維強化プラスチック（ＦＲＰ）、ＳＵＳ製板等の金属板などを用いることができるが、浸水時に大きな浮力を受けることによって梁体２０や支持部材２２などの支持躯体の負荷を軽減できることから、水より比重が軽い素材が好ましく、更に、易施工性をも有する点で天然木材や樹脂により製造される合成木材が好ましい。特に施工性や水による腐食を防止できる点から、軽量で且つ耐食性を有する合成木材が好ましい。
【００３７】
さらに、傾斜板５２の素材は、繊維強化樹脂であり、発泡樹脂が好ましい。発泡樹脂の種類としては、例えば、ウレタン樹脂、エポキシ樹脂、ビニルエステル樹脂、不飽和ポリエステル樹脂、フェノール樹脂等の熱硬化性樹脂であって硬質のものが好適に使用される。なお、発泡樹脂中に、圧縮強度の向上や低コスト化を図るために、炭酸カルシウム、石膏、タルク、水酸化アルミニウム、クレー等の無機充填材や、シラスバルーン、パーライト、ガラスバルーン等の軽量骨材が添加されていてもよい。
また、発泡体を補強する繊維としては、例えば、ガラス繊維、炭素繊維、金属繊維等の無機質繊維、天然繊維、合成繊維等の有機質繊維のいずれであってもよいが、強度や経済性の面からガラス繊維が適している。ガラス繊維としては、ガラスロービング、ガラスロービングクロス、ガラスマット、コンティニュアスストランドマット等の形態のものが挙げられる。この繊維は単独で使用してもよいし、二層以上積層してもよく、また、長繊維と短繊維を混ぜて使用してもよい。なお、ガラス長繊維を長手方向に引き揃えて補強繊維とした、ガラス長繊維強化硬質ウレタン発泡体（例えば、積水化学工業株式会社製、商品名「エスロンネオランバーＦＦＵ」など）を採用するのが、軽量化、耐久性および加工性の確保のために最も好ましい。
【００３８】
また、傾斜板５２の表面は、異物の移動性及び被処理水の整流効果の点から平滑面に形成されている。更に、傾斜板５２の表面にフィルムを貼着したり或いはＦＲＰ樹脂などの樹脂を被覆するなどの手段によって、傾斜板５２の表面に異物に対する抵抗が小さいオーバーコート層を設けることが、傾斜板５２の表面の平滑性をより高めることができるので好ましい。
【００３９】
上記した第１の実施形態における仕切構造１の梁体２０は、比較的強度を有する素材、例えば、コンクリート、鉄骨、木材などの素材で構成することができるが、傾斜板５２などの仕切構造材を根本的に支持するものであって浸水するものであるため、コンクリートで構成することが好ましい。
また、梁体２０の長尺の方向は、左右方向に平行な方向であったが、これに限らず上下方向、左右方向、深さ方向のいずれの方向に傾斜を有しても良い。
【００４０】
仕切構造１では、貯留槽１１内部の点検等の際には、歩行板部材３５上を歩行することができるので、容易に点検・修理ができる。
【００４１】
本発明の第２の実施形態として、図６〜８に示されるような仕切構造２も採用することができる。仕切構造２の歩行板部材２５の構造は、仕切構造１の歩行板部材３５とは異なるものであり、また、歩行板部材２５の下側に集積部材３８を設けている。
【００４２】
歩行板部材２５は、いわゆるグレーチングと呼ばれる棒状又は板状の金属や樹脂などを格子状に結合させたものである。そして、歩行板部材２５の形状は、長方形の長尺状板状である。また、歩行板部材２５の格子の間は空間となっており、板面の表面と裏面は連通させる開口２６を有している。本実施形態においては、歩行板部材２５の開口２６が下部開口となる。
また、集積部材３８は歩行板部材２５の下側に設けられて、歩行板部材２５の開口２６から沈殿した浮遊物を集めるものであり、その形状は漏斗状である。
【００４３】
傾斜板４７は、第１の実施形態の仕切構造１の傾斜板５２と同様に、上部開口たる開口４８及び上側切り欠き部５０が設けられている板部材４７ｃと、上部開口が設けられていない板部材４７ａとにより構成され、上面側に傾斜面４９を形成する。また、板部材４７ｃと板部材４７ａとが主流方向に交互に配置されている。そして、左右方向に対となる板部材が同じとなるように配置されている
【００４４】
本発明の第２の実施形態における仕切構造２によっても、従来技術と同様に、被処理水の浮遊物の分離が可能であり、さらに、仕切構造２においても被処理水の浮遊物をより効率的に分離することができる。すなわち、傾斜板４７の裏側を下部開口たる歩行板部材２５の開口２６から上部開口たる傾斜板４７の開口４８及び上側切り欠き部５０に向かって上昇する被処理水の流れが発生することにより、その間に浮遊物が沈殿して効果的に浮遊物を分離する。また、集積部材３８により浮遊物を集めることができる。
【００４５】
本発明の第３の実施形態として、図９〜１１に示されるような仕切構造３も採用することができる。仕切構造３は仕切構造１と同様に、傾斜板７０が設けられ、傾斜板７０は左右方向に並設されてＶ字状となっている。また、仕切構造３は仕切構造１と異なり、歩行板部材が設けられていない。
【００４６】
本実施形態の仕切構造３の傾斜板７０は支持部材７４によって固定されている。また、支持部材７４は、貯留槽１１内に設けられている複数の梁７３の上側に設置されている。
傾斜板７０は板部材７０ｃと板部材７０ａから構成される。そして、板部材７０ｃは上部開口たる開口４８及び上側切り欠き部５０と、下側開口たる下側切り欠き部７１が設けられている。さらに、板部材７０ｃ及び板部材７０ａの裏側には長尺状の枠部材６８が設けられ、板部材７０ｃ及び板部材７０ａと結合している。そして、枠部材６８が支持部材７４に固定され、傾斜板７０が保持されている。
板部材７０ｃの開口４８及び上側切り欠き部５０は、仕切構造１の傾斜板５２ｃとほぼ同様である。また、下側切り欠き部７１は、板部材７０ｃの下側の端部に位置しており、主流方向に長いスリット状であり、スリットの長さは板部材７０ｃの幅よりやや短い。
【００４７】
梁７３は、長尺状である長尺部７３ａと長尺部７３ａを支える支持部７３ｂから成る。長尺部７３ａは、左右の壁面２１と結合しており、長尺方向は左右方向に平行である。支持部７３ｂは、長尺部７３ａの両端付近に設けられ、傾斜状態で長尺部７３ａを支持している。長尺部７３ａの中途部は着脱できるものであり、長尺部７３ａは、結合部材６９により一体化している。長尺部７３ａ及び支持部７３ｂは、Ｈ型長尺鋼が用いられる。
【００４８】
上記した仕切構造１では、傾斜板に開口４８と上側切り欠き部５０を有するものであったが、図１２に示される仕切構造５のように開口４８のみ有する構造でも良く、また図１３に示される仕切構造６のように上側切り欠き部５０のみ有する構造でもよい。さらに、図１４に示される仕切構造７のように、傾斜板の中途部に複数のスリット４６を有する構造でも良い。
上記の仕切構造５，６，７においては、傾斜板の開口４８、上側切り欠き部５０及びスリット４６が上部開口となり、裏側に上昇する被処理水の流れが発生して、浮遊物が沈殿し効果的に分離する。
さらに、開口４８、上側切り欠き部５０及びスリット４６の大きさ・配置は上記した実施形態と異なっていても良く、また複数有していても良い。
【００４９】
上記した仕切構造１，２，３，５，６，７では、傾斜板の下側に梁体２０が設けられ、梁体２０の上側に傾斜板に配置されている構造であったが、図１５〜１７に示される本発明の第４の実施形態における仕切構造８のように、傾斜板の主流方向に前後に梁体２０ａを設け、梁体２０ａに固定されている保持部７８により傾斜板７０を固定する構造でも良い。
【００５０】
図１７に示されるように、保持部７８は主流方向に平行な複数の載置部７８ａを有し、載置部７８ａの配置は、傾斜板７０の傾斜面４９に平行となるように設けられている。そして、傾斜板７０の裏側には、横梁材７９が設けられて、前記載置部７８ａに載せられて、保持部７８に固定される。
【００５１】
仕切構造８では、傾斜板７０が保持部７８を介して梁体２０ａが接続するため、壁面２１と接触せずに傾斜板７０を固定することができる。そして、傾斜板７０と壁面２１との間には、上側隙間７７を設けて固定され、上側隙間７７が上部開口となる。また、上記した仕切構造と同様に、左右方向に傾斜板７０が並設され、この１対の傾斜板７０が反対方向に傾斜してＶ字状となり、Ｖ字の谷部では傾斜板７０同士が接触せず、傾斜板７０の下側は左右に離れて下側隙間７６を有し、下側隙間７６が下部開口となる。そして、図１５に示されるように、下側隙間７６の開口方向は垂直ではなく傾斜しており、より効率的に浮遊物の沈殿をさせることができる。
【００５２】
上記した仕切構造１，２，３，５，６，７，８では、梁体２０，２０ａが設けられていたものであるが、図１８に示される本発明の第５の実施形態における仕切構造９のように、壁面２１に固定された枠組部材５５によって、傾斜板７０を固定する構造でもよい。
仕切構造９の枠組部材５５は、斜辺部５８が傾斜板と同じ角度の傾きである直角三角形状の外枠部材５６と、前記外枠部材５６の変形を防止する筋交い５７が設けられている。また、必要に応じて、外枠部材５６と筋交い５７の接合部に当て板６０を設けて、変形に対する強度を高めることもできる。そして、枠組部材５５と壁面２１が固定され、さらに、傾斜板７０は枠組部材５５の斜面部５８に固定されている。
仕切構造９では、貯留槽に梁体２０がなくても、仕切構造を設けることができる。
【００５３】
上記した仕切構造１，２，３，５，６，７，８，９では、傾斜板が深さ方向に並設されず、傾斜板が一段だけ設けられた構造であったが、図１９〜図２４に示される本発明の第６〜１１の実施形態における仕切構造８０，８１，８２，８３，８４，８５のように、傾斜板が深さ方向に並設され、多段に傾斜板が配置される構造でもよい。
【００５４】
図１９に示される仕切構造８０は、左右方向に並設されてＶ字状となった対の傾斜板７０が、深さ方向に３段並設されている。そして、傾斜板７０のＶ字の谷部では傾斜板７０同士が接触せず、傾斜板７０の下側は左右に離れて下側隙間７６を有している。そして、傾斜板７０と壁面２１との間には、上側隙間７７を設けて固定されている。
また、図２０に示される仕切構造８１は、左右方向に並設されてＶ字状となった対の傾斜板７０が、深さ方向に３段並設されている。そして、傾斜板７０のＶ字の谷部では傾斜板７０同士が接触せず、傾斜板７０の下側は左右に離れて下側隙間７６を有している。そして、傾斜板７０と壁面２１との間には、上側隙間７７を設けて固定されている。図２０に示されるように、仕切構造８１は仕切構造８０とは異なり、それぞれの対の傾斜板７０の下側隙間７６の位置がずれており、下側隙間７６の開口方向は垂直ではなく傾斜している。したがって、貯留槽の使用時に、被処理水の流れが深さ方向に向きにくく、下層１９に一旦沈殿した浮遊物が、被処理水の巻き上がりによって上昇しにくい。
【００５５】
図２１に示される仕切構造８２は、複数の傾斜板７０が左右方向に並設され、前記並設された傾斜板７０の傾斜方向が同じ向きである。さらに、深さ方向にも複数の傾斜板７０が並設されている。深さ方向に並設されている複数の傾斜板７０の傾斜の向きは、互いに反対方向である。したがって、多くの傾斜板７０を設置することができるので、被処理水が深さ方向流れにくく、下層１９での被処理水の巻き上がりによって浮遊物が上昇しにくい。仕切構造８２では、最上段の傾斜板７０の上側側縁同士の隙間７７ａと、傾斜板７０の上側側縁と壁面２１との上側隙間７７が設けられ、また、最下段の傾斜板７０の下側側縁同士の隙間７６ａと、傾斜板７０の下側側縁と壁面２１との下側隙間７６が設けられて、貯留槽の上下層を連通している。
【００５６】
図２２に示される仕切構造８３は、左右方向に並設されてＶ字状となった対の傾斜板７０が、さらに左右方向に２対並設され、Ｗ字状となっている。Ｗ字状となった２対の傾斜板７０が、深さ方向に３段に並設されている。
傾斜板７０の山部及び壁面２１との間には上側隙間７７が、傾斜板７０の谷部には下側隙間７６が設けられている。
【００５７】
さらに、図２３，図２４に示される仕切構造８４，８５は、仕切構造の上下層を連通させる開口付近に阻流体９０を設けたものである。ここで阻流体とは、仕切構造の開口付近に設けられて、開口における被処理水の流れを変化させるものであり、被処理水の流れを阻害し、流れを迂回させるものである。
図２３に示される仕切構造８４は、図１９に示される仕切構造８０に阻流体９０を設けたものである。阻流体９０は長尺状であり、その断面は正方形である。また、阻流体９０は側面を水平に対して４５°傾いて配置している。
仕切構造８４の阻流体９０の位置は、傾斜板７０の下側隙間７６と、当該下側隙間７６の下側の下側隙間７６との間である。そして、前記下側隙間７６の開口の向きは深さ方向である。
また、仕切構造８５では、阻流体９０は傾斜板７０の下側隙間７６と、当該傾斜板７０の下側隙間７６との間だけでなく、傾斜板７０の上側隙間７７と、当該傾斜板７０の上側隙間７７との間にも設けられている。
【００５８】
仕切構造８４，８５が設けられた貯留槽が使用された場合には、阻流体９０により、当該下側隙間７６の一方から他方への流れを阻害して、流れを迂回させる。そして、貯留槽の使用時に、被処理水の流れが深さ方向に向きにくく、下層１９に一旦沈殿した浮遊物が、被処理水の巻き上がりによって上昇しにくい。
【００５９】
阻流体の形状は、阻流体９０のように断面が正方形でなくても良く、図２５（ｂ）に示される阻流体９１のように断面が菱形でもよく、図２５（ｃ）に示される阻流体９２のように断面が鈍角三角形で鈍角を上に向けていてもよく、図２５（ｄ）に示される阻流体９３のように断面がＬ字形であって直角部分を上に向け、いわゆる「へ」の字状でもよく、図２５（ｅ）に示される阻流体９４のように、阻流体９０の下側に切り欠きを有し、開いた傘のような形状のような断面であってもよい。そして、阻流体９０，９１は、上側が傾斜して、浮遊物が堆積しないことが望ましい。
【００６０】
また、貯留槽の上流側流入口６１付近に多数の通孔を有する整流板を設け、被処理水の流れを整流して、貯留槽内で乱流が生じることを防止する仕切構造とすることもできる。
【００６１】
【発明の効果】
本発明の仕切構造は、上述の通り構成されているので、被処理水に混入する浮遊物の沈殿をより効率的に行うことができる。
【図面の簡単な説明】
【図１】本発明の第１の実施形態における仕切構造を拡大した斜視図である。
【図２】本発明の第１の実施形態における仕切構造の上側から見た正面図である。
【図３】図２におけるＡ−Ａ面での断面図である。
【図４】本発明の第１の実施形態における仕切構造の横断面図である。
【図５】本発明の第１の実施形態における支持部材の一部を示した斜視図である。
【図６】本発明の第２の実施形態における仕切構造の上側から見た正面図である。
【図７】図６におけるＡ−Ａ面での断面図である。
【図８】本発明の第２の実施形態における仕切構造の横断面図である。
【図９】本発明の第３の実施形態における仕切構造の上側から見た正面図である。
【図１０】図９におけるＡ−Ａ面での断面図である。
【図１１】本発明の第３の実施形態における仕切構造の横断面図である。
【図１２】本発明の第１の実施形態における仕切構造の変形例の横断面図である。
【図１３】本発明の第１の実施形態における仕切構造の変形例の横断面図である。
【図１４】本発明の第１の実施形態における仕切構造の変形例の横断面図である。
【図１５】本発明の第４の実施形態における仕切構造の横断面図である。
【図１６】（ａ）は本発明の第４の実施形態における仕切構造の上側から見た正面図である。（ｂ）は、図１６（ａ）におけるＡ−Ａ面での断面図である。
【図１７】本発明の第４の実施形態における仕切構造の斜視図である。
【図１８】本発明の第５の実施形態における仕切構造の横断面図である。
【図１９】本発明の第６の実施形態における仕切構造の横断面図である。
【図２０】本発明の第７の実施形態における仕切構造の横断面図である。
【図２１】本発明の第８の実施形態における仕切構造の横断面図である。
【図２２】本発明の第９の実施形態における仕切構造の横断面図である。
【図２３】本発明の第１０の実施形態における仕切構造の横断面図である。
【図２４】本発明の第１１の実施形態における仕切構造の横断面図である。
【図２５】本発明の阻流体の断面図である。
【図２６】従来技術における貯留槽の斜視図である。
【図２７】従来技術における貯留槽の斜視図である。
【符号の説明】
１，２，３，５，６，７，８，９　仕切構造
１１　貯留槽
４７，５２，７０　傾斜板
２６，３５ａ　開口
４８　開口
５０　上側切り欠き部
６１　上流側流入口
６２　下流側排出口
７１　下側切り欠き部
７７　上側隙間
８０，８１，８２，８３，８４，８５　仕切構造
９０，９１，９２，９３，９４　阻流体
【図１】
2004089951.tif 000003
【図２】
2004089951.tif 000004
【図３】
2004089951.tif 000005
【図４】
2004089951.tif 000006
【図５】
2004089951.tif 000007
【図６】
2004089951.tif 000008
【図７】
2004089951.tif 000009
【図８】
2004089951.tif 000010
【図９】
2004089951.tif 000011
【図１０】
2004089951.tif 000012
【図１１】
2004089951.tif 000013
【図１２】
2004089951.tif 000014
【図１３】
2004089951.tif 000015
【図１４】
2004089951.tif 000016
【図１５】
2004089951.tif 000017
【図１６】
2004089951.tif 000018
【図１７】
2004089951.tif 000019
【図１８】
2004089951.tif 000020
【図１９】
2004089951.tif 000021
【図２０】
2004089951.tif 000022
【図２１】
2004089951.tif 000023
【図２２】
2004089951.tif 000024
【図２３】
2004089951.tif 000025
【図２４】
2004089951.tif 000026
【図２５】
2004089951.tif 000027
【図２６】
2004089951.tif 000028
【図２７】
2004089951.tif 000029